(57)【要約】【課題】仮固定部材を用いることなく輸送中にスライド部材が動くことを防止することができるスライド部材組立体を提供する。【解決手段】ベース(6)とそれに対する第１の位置と第２の位置との間を所定軌跡で移動するスライド部材(5)とを含んで組み立てられている。ベース及びスライド部材の一方に設けられスライド部材の移動方向とは異なる方向に可撓性を有するストッパ(7)と、他方に設けられスライド部材が第２の位置にあるときにストッパと係合してスライド部材の移動に抵抗を付与する係合部(5d)とを備える。ストッパはスライド部材が所定軌跡上の第１の位置と第２の位置との間の第３の位置にあるときにスライド部材が第２の位置に向かう際の先頭となる端部(5m)に自由状態で当接してスライド部材の第２の位置に向かう移動を規制する。【選択図】図８
2010252179.tif 000002
【特許請求の範囲】
【請求項１】
ベースと、前記ベースに対する第１の位置と第２の位置との間を所定の軌跡で移動するスライド部材と、を含み、
前記ベース及び前記スライド部材の一方に設けられ前記スライド部材の前記移動の方向とは異なる方向に可撓性を有するストッパと、
前記ベース及び前記スライド部材の他方に設けられ、前記スライド部材が前記第２の位置にあるときに前記ストッパと係合して前記スライド部材の前記移動に抵抗を付与する係合部と、
を備え、
前記ストッパは、前記スライド部材が前記所定の軌跡上の前記第１の位置と前記第２の位置との間の第３の位置にあるときに、前記スライド部材が前記第２の位置に向かう際の先頭となる端部に自由状態で当接して前記スライド部材の前記第２の位置に向かう移動を規制することを特徴とするスライド部材組立体。
【請求項２】
ベースと前記ベースに対する第１の位置と第２の位置との間を所定の軌跡で移動するスライド部材とで組み立てられたスライド部材組立体の使用方法であって、
前記スライド部材組立体は、
前記ベース及び前記スライド部材の一方に設けられ前記スライド部材の前記移動の方向とは異なる方向に可撓性を有するストッパと、
前記ベース及び前記スライド部材の他方に設けられ、前記スライド部材が前記ベースに対する第２の位置にあるときに前記ストッパと係合して前記スライド部材の前記移動に抵抗を付与する係合部と、
を備えると共に、
前記ストッパは、前記スライド部材が前記所定の軌跡上の前記第１の位置と前記第２の位置との間の第３の位置にあるときに、前記スライド部材が前記第２の位置に向かう際の先頭となる端部に自由状態で当接して前記スライド部材の前記第２の位置に向かう移動を規制するよう構成されており、
前記スライド部材を前記第２の位置に位置させて前記ストッパと前記係合部とが係合した仮固定状態にする仮固定化ステップと、
前記仮固定ステップの後に、前記ストッパを撓ませて前記係合を解除すると共に前記スライド部材を前記第３の位置と前記第１の位置との間に移動させて前スライド部材を記所定の軌跡で移動可能な使用状態にする使用化ステップと、
を有することを特徴とするスライド部材組立体の使用方法。
【請求項３】
筐体と、前記筐体に設けられた請求項１記載のスライド部材組立体と、を備え、ユーザにより前記スライド部材を前記第１の位置と前記第３の位置との間で往復移動可能なよう構成されていることを特徴とするスライド部材組立体を備えた筐体装置。
【発明の詳細な説明】
【技術分野】
【０００１】
本発明は、スライド部材組立体，スライド部材組立体の使用方法，及びスライド部材組立体を備えた筐体装置に係り、特に、スライド部材組立体の輸送時に、振動や衝撃によってスライド部材が意図せず移動してしまうことを防止したスライド部材組立体，スライド部材組立体の使用方法，及びスライド部材組立体を備えた筐体装置に関する。
【背景技術】
【０００２】
直線往復移動をする引き出しやドア、あるいは回動軸回りにスライドして回動するドアなどのスライド部材を備えた筐体装置が知られている。
具体的には、引き出しを有するキャビネットや、操作部を開閉する回動ドアを備えたテレビジョン装置やレコーダ装置、端子接続部を開閉するドアを備えたビデオカメラである。
【０００３】
スライド部材を備えた筐体装置において高級感を訴求する場合には、ユーザが心地良い感触でスライド部材を移動できるように、ガイドレールなどを設け、スライド部材とそれを支持するベースとの間の摺動をできるだけ滑らかにする。
そのため、スライド部材の組立体やその組立体を備えた筐体装置を梱包して輸送する際に、輸送の振動や衝撃でスライド部材が動き、梱包材などにより擦れて外観に傷が付いてしまう虞がある。
また、大きな衝撃が付与されるとスライド部材やスライド構造自体が破損する可能性もある。
このような傷付きや破損を防止するために、輸送時に、再剥離性を有する仮止めテープでスライド部材を筐体に固定する、あるいは、専用の梱包材を用いてスライド部材を仮固定することが行われている。
後者の例として、冷蔵庫のトレイが輸送時に移動してしまうことを防止する仮固定部材が特許文献１に記載されている。
【先行技術文献】
【特許文献】
【０００４】
【特許文献１】特開２００２−１４５３７６号公報
【発明の概要】
【発明が解決しようとする課題】
【０００５】
ところで、仮固定テープも、仮固定部材も、輸送後（使用前）の開梱時には取り外さなければならず、その取りはずしには手間がかかる。
取り外し作業に伴い商品に傷を付けてしまう虞も懸念される。
また、再利用できない仮固定部材は廃棄し、リサイクル可能な仮固定部材もその為の回収処理等が必要となる。そして、これらの作業はユーザが行わなければならない。
【０００６】
従って、用いる仮固定部材の数と量をできるだけ少なくして、また、可能であれば仮固定部材を用いることなく輸送時のドアの意図しない動きを防止することが望まれている。
【０００７】
そこで、本発明は、仮固定部材を用いることなく、輸送中にスライド部材が動くことを防止することができるスライド部材組立体，スライド部材組立体の使用方法，及びスライド部材組立体を備えた筐体装置を提供することを目的とする。
【課題を解決するための手段】
【０００８】
上記の課題を解決するために、本願発明は次の１）及び３）の構成、並びに、２）の手順を有する。
１）  ベース(6)と、前記ベース(6)に対する第１の位置と第２の位置との間を所定の軌跡で移動するスライド部材(5)と、を含み、
前記ベース(6)及び前記スライド部材(5)の一方に設けられ前記スライド部材(5)の前記移動の方向とは異なる方向に可撓性を有するストッパ(7)と、
前記ベース(6)及び前記スライド部材(5)の他方に設けられ、前記スライド部材(5)が前記第２の位置にあるときに前記ストッパ(7)と係合して前記スライド部材(5)の前記移動に抵抗を付与する係合部(5d)と、
を備え、
前記ストッパ(7)は、前記スライド部材(5)が前記所定の軌跡上の前記第１の位置と前記第２の位置との間の第３の位置にあるときに、前記スライド部材(5)が前記第２の位置に向かう際の先頭となる端部(5m)に自由状態で当接して前記スライド部材(5)の前記第２の位置に向かう移動を規制することを特徴とするスライド部材組立体(DA)である。
２）  ベース(6)と、前記ベースに対する第１の位置と第２の位置との間を所定の軌跡で移動するスライド部材(5)とで組み立てられたスライド部材組立体(DA)の使用方法であって、
前記スライド部材組立体(DA)は、
前記ベース(6)及び前記スライド部材(5)の一方に設けられ前記スライド部材(5)の前記移動の方向とは異なる方向に可撓性を有するストッパ(7)と、
前記ベース(6)及び前記スライド部材(5)の他方に設けられ、前記スライド部材(5)が前記ベース(6)に対する第２の位置にあるときに前記ストッパ(7)と係合して前記スライド部材(5)の前記移動に抵抗を付与する係合部(5d)と、
を備えると共に、
前記ストッパ(7)は、前記スライド部材(5)が前記所定の軌跡上の前記第１の位置と前記第２の位置との間の第３の位置にあるときに、前記スライド部材(5)が前記第２の位置に向かう際の先頭となる端部(5m)に自由状態で当接して前記スライド部材(5)の前記第２の位置に向かう移動を規制するよう構成されており、
前記スライド部材(5)を前記第２の位置に位置させて前記ストッパ(7)と前記係合部とが係合した仮固定状態にする仮固定化ステップと、
前記仮固定ステップの後に、前記ストッパ(7)を撓ませて前記係合を解除すると共に前記スライド部材(5)を前記第３の位置と前記第１の位置との間に移動させて前スライド部材(5)を記所定の軌跡で移動可能な使用状態にする使用化ステップと、
を有することを特徴とするスライド部材組立体の使用方法である。
３）  筐体(1KT)と、前記筐体(1KT)に設けられた請求項１記載のスライド部材組立体(DA)と、を備え、ユーザにより前記スライド部材(5)を前記第１の位置と前記第３の位置との間で往復移動可能なよう構成されていることを特徴とするスライド部材組立体(DA)を備えた筐体装置(500)である。
【発明の効果】
【０００９】
本発明によれば、仮固定部材を用いることなく、輸送中にスライド部材が動くことを防止することができるという効果を奏する。
【図面の簡単な説明】
【００１０】
【図１】本発明の筐体装置の実施例を説明するための斜視図である。
【図２】本発明の筐体装置の実施例における要部を説明するための図である。
【図３】本発明の筐体装置の実施例における仮固定状態を解除する作業について説明するための斜視図である。
【図４】本発明のスライド部材組立体の実施例におけるスライド部材を説明するための斜視図である。
【図５】本発明のスライド部材組立体の実施例におけるスライド部材を説明するための他の斜視図である。
【図６】本発明のスライド部材組立体の実施例におけるベース部材を説明するための斜視図である。
【図７】本発明のスライド部材組立体の組み立て方法について説明するための斜視図及び部分断面図である。
【図８】本発明のスライド部材組立体の組み立て方法について説明するための断面図である。
【発明を実施するための形態】
【００１１】
本発明の実施の形態を、好ましい実施例により図１〜図８を用いて説明する。
【００１２】
図１は、本発明のスライド部材組立体を備えた筐体装置の実施例を示す外観斜視図である。この筐体装置は、撮像装置５００である。上下左右前後の各方向は、図１に示すとおりであり、以下の説明において特に注記がない限り、図１の上下左右前後方向を意味する。
【００１３】
撮像装置５００は、撮像素子と信号処理回路と記録媒体を挿抜可能なスロットとを有し、挿着された記録媒体に対し、撮像素子で撮像した画像あるいは内蔵または外付けマイクロフォンで収音した音声を、信号処理回路を介し音声情報として記録する。
また、撮像装置５００は、挿着された記録媒体に記録された画像情報や音声情報を、信号処理回路を介して再生する機能を有するものであり、以下、図１〜図８を用いて詳述する。
【００１４】
撮像装置５００は、本体部１と、レンズ部２と、ファインダー部３と、グリップ部４とを備えている。
本体部１は、内部に回路基板，撮像素子（いずれも図示せず）などを収納したメイン筐体１ＫＴを有する。
筐体１ＫＴは、本体部１の左側面側に外方に張り出す突出部１ａを有しており、突出部１ａの左側面側は、グリップカバー４ａが取り付けられることで覆われている。従って、突出部１ａとグリップカバー４ａとを含んでグリップ部４の筐体（以下、サブ筐体４ＫＴと称する）が構成される。
【００１５】
メイン筐体１ＫＴの天面１ｂには内蔵マイク１ｍとアクセサリーシュー１ｃとが設けられている
アクセサリーシュー１ｃには、ハンドル（図示せず）などが装着される。
ハンドルには外付けとなるマイクロフォンが備えられている。
本体部１には、このような外付けのマイクロフォンなどからの音声信号ケーブルを接続するための外部オーディオ端子としてコネクタ１ｄが設けられている。
【００１６】
図１に示される撮像装置５００において、コネクタ１ｄはグリップ部４における左側面の前方側に設けられている。
コネクタ１ｄは、ケーブルの非接続時にゴミなどが入り込むのを防止するために、コネクタ１ｄを外部に露出させる（露出状態）／させない（隠蔽状態）、を選択可能とするドア５が設けられている。
【００１７】
図２（ａ），（ｂ）は、それぞれコネクタ１ｄの露出状態と隠蔽状態とを示している。
図２（ａ），（ｂ）を用いて具体的に説明すると、ドア５は、ユーザが指などで開閉できるように前後方向にスライド可能となっている。すなわち、ドア５はスライド部材である。
図２（ａ）に示すように、ドア５を矢印ＤＲ１の方向に（後方側に）移動させると、コネクタ１ｄは外部に露出する。
図２（ｂ）に示すように、ドア５を矢印ＤＲ２の方向に（前方側に）移動させると、ドア５がコネクタ１ｄを覆って隠すようになっている。
ドア５には、指が掛かり易いように、外方にリブ状に突出する指掛かり部５ａが形成されている。
ドア５の表面には、コネクタ１ｄの隠蔽状態で「AUDIO IN」などのコネクタ１ｄの機能を示す刻印と、左向きの三角形の図形と「OPEN」とを組み合わせてドア５の開方向を指示する刻印とが見えるようになっている。
【００１８】
ドア５は、グリップ部４のメイン筐体１ＫＴの一部を構成するドアベース６に取り付けられ、ドア５とドアベース６とでドア組立体ＤＡが構成されている。すなわち、ドア組立体ＤＡは、スライド部材組立体である。
【００１９】
図３は、撮像装置５００において、グリップ部４のグリップカバー４ａを外した状態を示しており、この状態でドア組立体ＤＡは外部に露出する。
以下、スライド部材組立体であるドア５及びドアベース６について詳述する。
【００２０】
図４及び図５はドア５の外観斜視図であり、図４は撮像装置５００に取り付けられた状態で前方下側外方向から見た斜視図であり、図５は前方下側内方向から見た斜視図である。図４及び図５に示した上下前後方向は図１に示した方位に対応する。
【００２１】
ドア５は、矩形の基部５ｋと、基部５ｋからその一面側に突出するＬ字形状の４つの脚部５ｂと、基部５ｋの前端から延出して指などで操作される操作部５ｃと、を有して形成されている。
それぞれの脚部５ｂは、基部５ｋに連接し基部５ｋの延在面に対して直交する方向に立設する支柱部５ｂ１と、支柱部５ｂ１の先端に設けられ基部５ｂの延在面と平行に外方に突出する張り出し部５ｂ２と、を有している。
【００２２】
ドア５は、樹脂の射出成形により形成されている。好適な樹脂としてＡＢＳ（アクリロニトリル・ブタジエン・スチレン）樹脂がある。
【００２３】
基部５ｋの、ドア５が撮像装置５００に装着された際の内側となる面５ｋ１（以下、便宜的に内面５ｋ１と称する。また、内面５ｋ１の反対側の面を外面５ｋ２と称する。）の後方側には、上下方向（内面５ｋ１の幅方向）に延在する凹部５ｄが形成されている。ドア５の外面５ｋ２には、凹部５ｄに対応して肉厚を均一にする目的で凸部５ｅが形成されている。
【００２４】
凹部５ｄの断面形状は実施例ではコ字状とされている。この断面形状は限定されるものではなく、Ｕ字状やＶ字状とされていてもよい。
凹部５ｄには、ドアベース６の鍔部７ａ１，７ｂ１が係合する（これについては後述する）。
【００２５】
次に、ドアベース６について詳述する。
図６は、ドアベース６の外観斜視図であり、ドアベース６が撮像装置５００に取り付けられた状態で前方下側外方向から見た斜視図である。
【００２６】
ドアベース６は、前後方向に長手を有して形成されており、概ね矩形の基部６ｋと、基部６ｋの前方側に下方に張り出したパネル部６ａとを有して形成されている。
ドアベース６は、樹脂の射出成形により形成されている。好適な樹脂としてＡＢＳ樹脂がある。
【００２７】
基部６ｋの前方側でパネル部６ａの上方側には、コネクタ１ｄに対応した開口部６ｂが形成されている。この開口部６ｂを介してコネクタ１ｄを外部から臨むことができる。
基部６ｋには、ドア５の４つの脚部５ｂに対応し、各脚部５ｂが係合してドア５を前後方向にスライド可能とさせる４つのガイド孔６ｃが設けられている（手前側は不図示につき奥側のみ符号を付与している）。
ガイド孔６ｃは、脚部５ｂの張り出し部５ｂ２を通過させる挿入孔６ｃ１と、挿入孔６ｃ１に連結して前方に直線状に延在する係合孔６ｃ２とを有している。
【００２８】
基部６ｋの後方側における、上下方向中央部付近には、ストッパ７が設けられている。
ストッパ７は、実施例において、可撓性を有する独立した２つの板片７ａ，７ｂとして形成されている。この板片は１つであってもよい。
具体的には、ストッパ７は、スライド部材であるドア５のスライド方向とは異なる方向に撓む可撓性を有し、スライド方向には撓まないようになっている。
また、板片７ａ，７ｂは、基部６ｋの後方側で基部に連結し、前方側に延在してスライド方向とは異なる図６のＤＲ３方向（内側方向）に弾性変形可能とされている。
【００２９】
また、板片７ａ，７ｂの先端部には、外方（図６の上方）に向け突出する鍔部７ａ１，７ｂ１が形成されている。
実施例のドアベース６において、鍔部７ａ１，７ｂ１の前端面７ａ２，７ｂ２の前後方向位置は、同じ位置とされている。
【００３０】
ドア５とドアベース６とは互いに組み合わされてスライド部材組立体であるドア組立体ＤＡとされ、ドア５がドアベース６上を前後方向にスライドするように構成されている。以下、その構成の詳細を説明する。
【００３１】
図７（ａ）は、ドア組立体ＤＡの組み立て工程における、ドア５をドアベース６に組み付ける直前の状態を示し、図７（ｂ）は、ドア組立体ＤＡの組み立て工程におけるドア５をドアベース６に組み付けて仮固定した仮固定状態を示し、図７（ｃ）は、ドア組立体ＤＡのドア５の使用状態における開状態を示した図である。以下、各状態について順番に説明する。
【００３２】
図７（ａ）に示すように、ドア５の脚部５ｂにおける張り出し部５ｂ２を、ドアベース６の挿入孔６ｃ１に挿通させる。
張り出し部５ｂ２の挿入孔６ｃ１への挿通で、ストッパ７の鍔部７ａ１，７ｂ１は、ドア５の基部５ｋの内面５ｋ１に当接する。
【００３３】
この当接状態からさらにドア５を内方に押し込んでストッパ７を内方（矢印ＤＲ３方向）に撓ませながら、次に支柱部５ｂ１を係合孔６ｃ２に沿うようにドア５を前方に移動させる。
この前方への移動が所定距離行われた時点で、ストッパ７の鍔部７ａ１，７ｂ２がドア５の凹部５ｂと係合するようになっている。
これが仮固定状態であり、図７（ｂ）と、図７（ｂ）におけるＳ１−Ｓ１断面と図７（ｄ）で示される。
【００３４】
仮固定状態において、ストッパ７は凹部５ｂに係合し、ドア５の前後方向の自由な移動が規制される。
この係合力は、鍔部７ａ１，７ｂ１及び凹部５ｂの形状により任意に設定できる。
具体的には、係合力は、輸送時に付加される振動や衝撃程度では係合が解除されず、ストッパ７を矢印ＤＲ３方向に指などで意図的に撓ませることで解除する程度に設定するのが望ましい。
【００３５】
撮像装置５００を組み立てる場所に、ドア組立体ＤＡの製造場所からドア組立体ＤＡを輸送する場合には、ドア組立体ＤＡをこの仮固定状態にして輸送することで、輸送時に外部から付加される振動や衝撃によってドア５が意図せず移動することがない。
従って、ドア組立体ＤＡの輸送に際して仮固定部材を別に用意する必要がなく、開梱時に仮固定部材を取り外す必要がなく、その作業で商品に傷を付けてしまう虞もない。
【００３６】
仮固定状態で、ドア５の操作部５ｃは、撮像装置５００において設定されたドア５の開閉範囲を越えて後方側に位置している。
【００３７】
ドア組立体ＤＡの輸送後に仮固定状態を解除して使用状態にする場合には、ストッパ７を図７（ａ）に示す矢印ＤＲ３方向に押し込み、鍔部７ａ１，７ｂ１と凹部５ｂとの係合を外し、ドア５を前方に移動させる。
この移動により、鍔部７ａ１，７ｂ１はドア５の基部５ｋの内面５ｋ１を付勢しつつ摺動し、所定の距離を移動してドア５の後端部５ｍ（図４，５，７参照）を越えると摺動当接が解除されて弾性変形状態から自由状態に復帰する。
【００３８】
ドア組立体ＤＡを使用状態にする時期は、ドア組立体ＤＡを撮像装置５００に組み付ける前でも後でもよい。
組み付け前であれば、ドア組立体ＤＡの単品状態で容易に可能である。
また、組み付けた後の場合は、図３に示すように、グリップカバー４ａを取り付ける前のストッパ７が外部に露出している段階で、ハッチングを付した範囲ＡＲ１を指で押せばよい。これによりドア５を仮固定状態から使用状態に移行させることができる。
【００３９】
自由状態に復帰したストッパ７は、その鍔部７ａ１，７ｂ１の前端面７ａ２，７ｂ２がドア５の後端面５ｍ１と対向するようになる。
従って、ドア５を後方側に移動させ、コネクタ１ｄが開口部６ｂを介して外部から視認できる開状態にした際に、ドア５の後端面５ｍ１が前端面７ａ２，７ｂ２に当接し、ストッパ７がスライド方向に可撓性を有していないことからドア５のストロークが規制される。すなわち、ドア５の開位置が規定される。
【００４０】
ドア５が開位置にあるドア組立体ＤＡを図７（ｃ）に示す。
【００４１】
図８（ａ）〜（ｃ）を用いて、ドア５が仮固定位置，開位置，及び閉位置のそれぞれに位置した際の、ドア５とドアベース６との位置関係を更に詳細に説明する。
図８（ａ）〜（ｃ）は、ドア組立体ＤＡの図７（ａ）におけるＳ２−Ｓ２に相当する断面図であり、図８（ａ）が仮固定位置、図８（ｂ）が開位置、図８（ｃ）が閉位置である。
【００４２】
図８（ａ）に示される仮固定位置において、ドアベース６のストッパ７の鍔部７ａ１（７ｂ１）がドア５の凹部５ｂに係合している。これによりドア５はドアベース６に対して前後方向（図８の左右方向）の移動が規制される。
この位置でドア５の前端５ｎの位置は、開口部６ｂの縁から距離Ｌ１だけ後方側に位置する。
【００４３】
図８（ｂ）に示される使用状態における開位置において、ドアベース６のストッパ７の前端面７ａ２（７ｂ２）がドア５の後端面５ｍ１に当接し、ドア５の後方への移動を規制している。
この位置でドア５の前端５ｎの位置は、開口部６ｂの縁の位置と前後方向でほぼ一致し、コネクタ１ｄは開口部６ｂを通して外部から視認され、ケーブルの接続が可能となっている。
【００４４】
図８（ｃ）に示される使用状態における閉位置において、ドアベース６のストッパの前端面７ａ２（７ｂ２）からドア５の後端面５ｍ１は離隔し、ドア５の操作部５ｃが開口部６ｂを覆い、コネクタ１ｄは隠蔽され、ゴミなどが入り難くなっている。
このドア５の閉位置は、支柱部５ｂ１を係合孔６ｃ２の端部に当接させることで規定することができるが、これに限らず他の部位の当接により規定してももちろんよい。
【００４５】
実施例は、仮固定位置において、ストッパ７の凸部である鍔部７ａ１，７ｂ１がドア５の凹部５ｂに係合するものであるが、凸凹の関係は逆になっていてもよい。すなわち、ストッパ７に凹部が形成され、ドア５側に凸部が形成されていてストッパ７の凹部にドア５の凸部が係合するようになっていてもよい。
【００４６】
以上詳述したように、実施例のスライド部材組立体は、ベース部材に対してスライドするスライド部材を仮固定する係合機構を有する。
係合機構は、ベース部材に設けられスライド方向とは異なる方向に変形する可撓性を有する弾性係合部と、この弾性係合部に係合するスライド部材側の係合部とで構成され、弾性係合部と係合部との係合でスライド部材のスライド方向の移動が規制される。
係合機構の係合は、輸送の振動及び衝撃では外れず、外部からの意図的な所定値以上の力の付与でのみ外れる程度に強度設定される。
係合機構の係合が解除されると、弾性係合部はスライド部材のスライド方向に可撓性を有さないよう、かつスライド部材の端部に当接するよう位置してスライド限度を規定する。
【００４７】
また、弾性係合部（ストッパ）を、ベース部材ではなくスライド部材側に形成してもよい。この場合のスライド部材組立体は、ベース部材に対してスライドするスライド部材を仮固定する係合機構を有し、係合機構は、スライド部材に設けられスライド方向とは異なる方向に変形する可撓性を有する弾性係合部と、この弾性係合部に係合するベース部材側の係合部とで構成され、弾性係合部と係合部との係合でスライド部材のスライド方向の移動が規制される。
係合機構の係合は、輸送の振動及び衝撃では外れず、外部からの意図的な所定値以上の力の付与でのみ外れる程度に強度設定される。
係合機構の係合が解除されると、弾性係合部はスライド部材のスライド方向に可撓性を有さないよう、かつベース部材の端部に当接するよう位置してスライド部材のスライド限度を規定する。
【００４８】
本発明の実施例は、上述した構成及び手順に限定されるものではなく、本発明の要旨を逸脱しない範囲において変形例としてもよいのは言うまでもない。
【００４９】
ストッパ７を指などで押し、カバー５を前方に移動させて仮固定状態から使用状態に移行させる作業を、ユーザに委ねてもよい。
その場合は、撮像装置５００がユーザの手許に届いた後にストッパ７を指で押せるように、例えばグリップカバー４ａに開口部を設けておくとよい。
【００５０】
実施例はスライド部材であるドア５が直線往復移動するものについて説明したが、所定の軸回りに回動して開閉するスライド部材であっても、考え方を適用することができる。
具体的には、例えば図８におけるドア５とドアベース６とを円弧状に形成すれば実現することは明らかである。
また、実施例のスライド部材組立体は、仮固定状態と使用状態とを可逆的に選択し得るものであり、スライド部材組立体やそれを備えた筐体装置が繰り返し輸送される場合に、何回でも仮固定状態にして輸送することができる。
従って、筐体装置が、例えば、引き出し付きのキャビネットなどのオフィス部材である場合に、度重なる引っ越しにも、その都度引き出しを容易に仮固定状態して輸送することができ、また使用時には使用状態に容易に復帰させることができるので大変便利である。
【００５１】
実施例で説明した、スライド部材であるドア５をドアベース６に係合させて仮固定状態にする方法と、ドア５を仮固定状態から使用状態に移行させる方法と、を含めた方法がスライド部材組立体の使用方法となる。
【産業上の利用可能性】
【００５２】
スライド部材を仮固定状態と使用状態との間で部品を付加することなく可逆的に移行可能としていることにより、電子機器，家具，オフィス用品，収納具など、種々の筐体装置に適用可能でありその用途は限定されるものではない。特に、定位置での使用と移動（輸送）とを繰り返し行う用途にも適用することができる。
【符号の説明】
【００５３】
１  本体部
１ａ  突出部
１ｂ  天面
１ｃ  アクセサリーシュー
１ｄ  コネクタ
１ｅ１  指掛かり部
１ＫＴ  メイン筐体
１ｍ  内蔵マイク
２  レンズ部
３  ファインダー部
４  グリップ部
４ａ  グリップカバー
４ＫＴ  サブ筐体
５  ドア
５ａ  指掛かり部
５ｂ  脚部
５ｂ１  支柱部
５ｂ２  張り出し部
５ｃ  操作部
５ｄ  凹部
５ｅ  凸部
５ｋ  基部
５ｋ１  内面
５ｋ２  外面
５ｍ  後端部
６  ドアベース
６ａ  パネル部
６ｂ  開口部
６ｃ  ガイド孔
６ｃ１  挿入孔
６ｃ２  係合孔
６ｋ  基部
７  ストッパ
７ａ，７ｂ  板片
７ａ１，７ｂ１  鍔部
７ａ２，７ｂ２  前端面
ＤＡ  ドア組立体（スライド部材組立体）
５００  撮像装置（筐体装置）
【図１】
2010252179.tif 000003
【図２】
2010252179.tif 000004
【図３】
2010252179.tif 000005
【図４】
2010252179.tif 000006
【図５】
2010252179.tif 000007
【図６】
2010252179.tif 000008
【図７】
2010252179.tif 000009
【図８】
2010252179.tif 000010